(57)【要約】【課題】  マスクの上下縁と顔面との接触を強めるとともに、両側と頬との接触を確実にしてマスク周囲の隙間をなくす。【解決手段】  マスク本体部１の両側に、ほぼ３角形状の延長部２、２を設け、耳掛け紐３を前記延長部３の上下の辺に沿って引き出し、引き出された耳掛け紐３を相互に固定させずに交差させて耳に掛ける。【選択図】        図１
0003113828.tif 000002
【実用新案登録請求の範囲】
【請求項１】
マスク本体部の両側に、ほぼ３角形状の延長部を設け、耳掛け紐を前記延長部の上下の辺に沿って引き出し、引き出された耳掛け紐を相互に固定させないで交差させ、交差した状態で耳に掛けるように構成したことを特徴とするマスク。
【請求項２】
前記延長部が上側辺を短くした不等辺３角形状で、耳掛け紐を引き出す側の頂部を切除している請求項１のマスク。
【考案の詳細な説明】
【技術分野】
【０００１】
この考案は、柔軟な素材を用い風邪や花粉症などに対して使用するマスクにおいて、マスク本体の周辺と顔面との隙間をなくすようにしたマスクに関する。
【背景技術】
【０００２】
従来、一般的なマスクは、四角に折り畳んだガーゼや不織布などの柔軟な素材を用いて長方形に縫製したマスク本体の左右両側に、上下の両端に取り付け、あるいは上下または両側の縁に沿って通した紐あるいはゴム紐の耳掛け紐をそなえ、上下の耳掛け紐をそのままでほぼ平行にして耳に掛けるようにしているが、マスク本体が平面であり、このマスクの上下を耳掛け紐で横方向に引っ張るようにしているため、マスク本体と顔面との間、とくに鼻の両側に隙間を生じ易い。このため、マスク本体の内側に重ねた布の下縁を上方にめくって鼻にかぶせるようにしたものが提案されている（たとえば特許文献１参照）が、マスク下側の縁と顎との接触が緩み易い。また、上下の縁に沿って紐を通したり、上下端に縫い付けた紐を用いたマスクでは、左右の両縁が膨らんで頬との間に隙間ができる欠点があった。
【０００３】
このため、リング状のゴム紐を中央でねじって∞状にし、マスク本体の中央付近にゴム紐をねじって重なった部分を固定し、両側のリング状になったゴム紐をそれぞれマスク本体の左右両縁の上下端から引き出して耳に掛けるようにすることにより、マスク本体を変形しにくくし、両側縁が縦方向に縮まって膨らむことを防ぐようにしたものがある。（特許文献２参照）
また、マスク本体の左右端に取り付けた耳掛け紐とは別に、両側縁の中央部に取り付けた耳掛け紐を設け、マスク本体の側縁中央部を耳側に引き付けて膨らみを防ぐ二重紐マスクが提案されている。（特許文献３参照）
また、マスク本体の四隅を斜めにして８角形にし、マスクをつけた時の顔の隠れを少なくし、視野を広くしたものなどがある。（特許文献４参照）
【０００４】
【特許文献１】特開２００４−３２９８６９公報
【特許文献２】特開２００４−８９６４５号公報
【特許文献３】特開２００４−２６７６９４号公報
【特許文献４】特開平１０−２２５５２７号公報
【考案の開示】
【考案が解決しようとする課題】
【０００５】
このように、柔軟で平板なマスク本体をそなえ、その両側に耳掛け紐を取り付けたマスクにおいて、マスク本体周囲に生じる隙間を防ぐようにすることは、マスクの使用目的から重要な課題であるが、左右にリング状にしたゴム紐をマスク本体の中央部でクロスするように取り付けることにより、ゴム紐が引っ張られたときにマスク本体の形状が平板を保ち変形しにくくしても、鼻と口を覆うような大きなマスクでは、マスクの縦方向の長さが耳の上下の寸法より大きいために上下のゴム紐が平行に引っ張られず、マスク本体の両側縁が縮まって膨らみ、隙間を生じ易い。
また、二重紐にすることは、構造が複雑になり、１つの耳に２つの紐を掛けるので操作も面倒になる欠点がある。また、マスクを８角形にすることで、両側縁での縦方向寸法が小さくなるが、耳掛け紐が平行に近くなって横方向に引っ張られるため、マスクの上下部分に引っ張り力が加わり難く、顔との圧着力が弱くなって隙間を生じ易い。
本考案は、マスク本体の上下縁と顔との接触力を強くして緩みをなくすとともに、頬に当たる部分の隙間を生じさせないようにしたマスクを提供する。
【課題を解決するための手段】
【０００６】
このため、マスク本体部の両側に、両側縁を底辺とするほぼ３角形状の延長部を設け、耳掛け紐を前記延長部の上下の辺に沿って引き出し、引き出された耳掛け紐を相互に固定せずに交差させて耳に掛けるように構成したことを特徴としている。
耳掛け紐は、ゴム紐のように弾性をそなえた紐が望ましい。
また、耳掛け紐を交差させて耳に掛けるので、マスクと耳の位置関係によって延長部の形状は、上側辺を短く下側辺を長くすることが望ましく、このため延長部を不等辺３角形状にするとともに、引き出された耳掛け紐が重なる部分を切除して交差し易くしておくのが良い。
【考案の効果】
【０００７】
本考案によれば、マスクをつけた時に、耳掛け紐を両側の延長部の頂点部分で相互に固定させずに交差させて耳に掛けるので、マスク本体部の上縁が下方向に、下縁の端部が上方向に引っ張られ、顔との接触を強くして隙間をなくす効果が得られるとともに、延長部が頬に当たって耳掛け紐で押さえられるので、マスク本体部（長方形の部分）の両側に膨らみを生じても延長部が頬に密着して隙間を生じることがない。
なお、耳掛け紐は、延長部の上下辺に沿って引き出されるので、引き出し方向が判然としており、使用時に上下の紐を間違えることがなく、容易に交差させて確実に耳に掛けることができる。
【考案を実施するための最良の形態】
【０００８】
これを図に示す実施例について説明する。
１はマスク本体部で、ガーゼ、不織布などの柔軟で通気性のある素材を重ねており、従来のマスクと同様の構成である。２、２はマスク本体部１の両側に、マスク本体部１の両側縁を底辺とし、頂部をわずかに切除したほぼ３角形の延長部で、マスク本体部１と別体にして縫い付けてもよいが、一体に裁断して形成し、あるいはマスク本体部を延長した長方形の両側端部を折り曲げて形成することができる。３、３はマスク本体部１の両側に設けたゴム紐などの耳掛け紐で、それぞれの両端をマスク本体部１の側縁の上下端の部分４に取り付け、延長部２の上下それぞれの辺に沿って素材を重ねた通し孔に挿通して引き出している。５は重ねた素材の縫い目で一点鎖線で示している。６は内側に重ねた素材の端縁で、重ねた素材を上方にめくって鼻を覆うようにすることができる。
なお、耳掛け紐３は、部分４で取り付けないでマスク本体部１の上下を通して１本の紐で構成しても良い。
【０００９】
このマスクの使用に当たっては、マスク本体部１を鼻および口に当てて耳掛け紐３を頬で交差させ、マスク本体部１の下側から引き出された紐を耳の上側に、マスクの上側から引き出された紐を耳の下側にして掛ける。このためマスク上側から引き出された紐は下方に引っ張られてマスク本体部１の上縁を鼻に密着させ、マスク下側から引き出された紐が上方に引っ張られてマスク本体部１の下縁を顎に密着させるとともに、両側の延長部２、２が頬に密着して耳掛け紐で押さえられ、マスク周縁に生じる隙間を有効に防ぐことができる。
【００１０】
耳の位置は鼻と口を覆うマスクの位置より上に偏っているので、延長部２の下側から引き出された耳掛け紐３が、上側から引き出される耳掛け紐より傾斜の角度が大きくなる。このため、延長部２の形状は、等辺３角形であっても差し支えないが、上側辺を小さくした不等辺３角形とし、紐が交差する頂部を切り取った台形にすることが望ましい。
【００１１】
図２は、耳掛け紐３を延長部２の端部に取り付ける場合の実施例で、耳掛け紐３の両端部分をそれぞれ延長部２の辺に沿って固着７させ、相互に交差する位置で固定されないようにしている。
なお、耳掛け紐３の上側と下側は、引き出された方向で容易に判断できるが、色分けなどのマークをつけておくこともできる。
【図面の簡単な説明】
【００１２】
【図１】本考案の実施例を示すマスクの平面図である。
【図２】別の実施例を示す一部平面図である。
【符号の説明】
【００１３】
１  マスク本体部
２  延長部
３  耳掛け紐
４  取り付け部分
５  縫い目
６  端縁
７  固着
【図１】
0003113828.tif 000003
【図２】
0003113828.tif 000004